Podtech/llm-jp-corpus-v4-ja_patent huggingface dataset:
(57)【要約】      （修正有）【課題】ひじきを原料とする従来にはない食感及び従来にない癖のない味覚のキムチ漬けの提供。【解決手段】水揚げされたばかりの新鮮な生ひじきを水洗し、水に浸けて塩抜きし、次いでよく水洗いし、ネットに入れて虫やほこりなどを寄せ付けないようにして天日に干し、根などを除去してから細かく刻み、市販のきむちベースにおろし生ニンニクと唐辛子適量を加えて漬ける。次いで冷蔵にて１週間〜１ヶ月熟成させ、ビンに詰めて製品とする。【選択図】図１
2008017823.tif 000002
【特許請求の範囲】
【請求項１】
生のヒジキをキムチのベースに漬け、状態に応じた期間、冷蔵にて保存して熟成させたキムチ漬け
１  水揚げされたばかりの新鮮な生ひじきをきれいに水洗いする。
２  分量に応じた時間、水につけ  塩抜きする。
３  よく水洗いをする。
４  ネットに入れ、虫やほこりなどを寄せ付けないようにし、天日干しをする。
５  水分をある程度残した状態で、とりこむ。
６  ひじきの根の部分を除去する。
７  ひじきを１ｍｍ〜１ｃｍ前後に細かく刻む。
８  キムチベースを調合する。
９  市販のキムチベース１ｋｇに対して、おろし生ニンニク１００ｇと唐辛子適量を混合する。
１０  自家製のキムチベースにつける（ひじき約１０ｋｇに対し、約１ｋｇのベースを使用する）
１１  よく混ぜてキムチベースがいきわたるようにする。
１２  冷蔵にて、１週間〜１ヶ月前後の期間にわたって、熟成させる。
１３  発生した余分な水分を適量取り除き、ビンに詰める。
上記１〜１３の工程により製造する生ひじきのキムチ漬け。
【発明の詳細な説明】
【技術分野】
【０００１】この発明は、生のひじきをキムチに漬けることに関する。
【背景技術】
【０００２】ひじきの料理法として現在あるものは、ひじきの煮物、炒め物等及びひじきの保存方法等である。
【特許文献１】特許公開２００６−０３４１２５
【特許文献２】特許公開２００５−０８０５８１
【発明が解決しようとする課題】
【０００３】従来にはない食し方として、ひじきを生のままの状態でキムチに漬けるという利用方法により、従来にはない食感及び従来にない癖のない味覚を得ることができる。
【課題を解決するための手段】
【０００４】新鮮なひじきを水揚げする。
水揚げされたばかりの新鮮な生のひじきを水洗いする。
ひじきの分量に応じた時間水につけ、塩抜きする。
よく水洗いした後、水分を切るためにネットに入れ天日干しをし、ひじき表面の水分を１０％程度残すことで乾燥しすぎて硬くなりすぎるのを抑える。
【０００５】水分が抑えられたひじきを細かく刻んで自家製キムチベースに漬け、冷蔵で熟成させる。熟成させる日数はひじきの状態によって異なる。
【０００６】キムチのベースにおろしニンニクを多めに入れることで、殺菌効果を高めた。
【発明の効果】
【０００７】生のひじきを使用することで、新しい食感を得ることができた。
【０００８】生ひじき１０ｋｇに対して１ｋｇの自家製キムチベースを入れることで、辛過ぎず、子供から大人まで、幅広く食することができる。
【０００９】生ひじき、にんにく、唐辛子、乳酸菌、アミノ酸等の相乗効果によって、栄養面、健康面の相乗効果を高めることができる。
【００１０】保存の特徴として  冷凍でも冷蔵でも可能なので、長期の保存が可能となる。
冷蔵２ヶ月  冷凍半年（保存状況によって異なる）
【００１１】細かく刻むことで、瓶詰め又は真空パック又はプラスチック容器などを利用することができ、保存形態に柔軟性がある。
【００１２】キムチのベースとなる唐辛子には、健康増進、とくに高血圧、糖尿病、ボケを防ぐ効果があり、カプサイシンという成分は血管を拡張させ、唾液、胃液の働きを促し、胃液の働きを活発にさせるため、食欲を増進させる。又、血糖値を下げるホルモン、インスリンの分泌を促す。コレステロール値を低下させ、神経系統を刺激し、活性化させるのでボケに対しての抑止力がある。
【００１３】キムチベースに含まれているニンニクには、スタミナ増強、がん予防にも効果がある。
【００１４】ひじきとキムチの相乗効果により、腸の働きを活性化させ、便通がよくなる。
【００１５】ひじきとキムチの相乗効果により、健康面、栄養面のプラスとなる効果は絶大である。
【産業上の利用可能性】漬物業界で利用できる。
【図面の簡単な説明】
【００１６】
【図１】製造行程図
【図１】
2008017823.tif 000003
(57)【要約】【課題】  フィッシング風船を提供する。【解決手段】  ヘリウムガスなどを注入した風船に釣り糸と操作糸を結びつけたことを特徴とするフィッシング風船。【選択図】図１
2008017824.tif 000002
【特許請求の範囲】
【請求項１】
ヘリウムガスなどを注入した風船を利用して魚を釣る事を特徴とするフィッシング風船。
【発明の詳細な説明】
【技術分野】
【０００１】    本発明は、フィッシング風船に関するものである。
【背景技術】
【０００２】  従来、魚を釣る釣竿と釣り針を付けた釣り糸があった。
【発明の開示】
【発明が解決しようとする課題】
【０００３】  そのために、次のような問題点があった。
（イ）陸あるいは釣船から釣竿を利用する魚釣りは、餌がついた釣り針を遠くへ投げ飛ばすことは女性や子供にとって大変困難であった。
（ロ）従来のカーボン材で作られた釣竿は高価であった。
本発明は、これらの問題点を解決するためになされたものである。
【問題を解決するための手段】
【０００４】  ヘリウムガスなど空気より軽い気体をゴム風船或いはアルミホイール風船に注入し、これに釣り針が付いた釣り糸を結びつけ、釣竿の代わりに、この風船をあやつる操作糸を結び付けた、フィッシング風船である。
【発明の効果】
【０００５】  （イ）ゴムやアルミホイールなどで造られた風船に空気より軽いヘリウムガスなどを注入して、注入口を閉める。
（ロ）注入口の部分に釣り針をつけた釣り糸を結びつける。
（ハ）注入口の部分にさらに、風船をあやつる操作糸を結びつけて釣竿の代用にする。
【発明を実施するための最良の形態】
【０００６】  以下、本発明の実施の形態について説明する。
ゴムやアルミホイールなどで造られた風船に空気より軽いヘリウムガスなどを注入して、注入口を閉め、この部分に釣り針をつけた釣り糸を結びつけ、さらに同じ部分に風船をあやつる操作糸を結びつける。
本発明は、以上のような構成で、これを使用するときは、釣り針に餌を付けて、例えば風下の海に向かって陸岸や釣り船から風船を空中に上昇させながら操作糸を少しずつのばして、釣り糸が風下の海上に移動し目的の場所に到着して、釣り針に付けた餌が海中にある程度沈んだら、のばしていた操作糸を止めて、魚の食いつきを待つ。
【図面の簡単な説明】
【０００７】
【図１】  本発明の斜視図
【図２】  本発明の使用図
【図３】  本発明の使用図
【符号の説明】
【０００８】  １  風船
２  ヘリウムガス注入口
３  釣り糸
４  釣り針
５  操作糸
６  餌
７  釣り人
８  釣り船
９  海
１０  陸
【図１】
2008017824.tif 000003
【図２】
2008017824.tif 000004
【図３】
2008017824.tif 000005
(57)【要約】【課題】梅干しをつけたりするさいに、おもしが決まった重量しかない事を解決するために、内側にどんどん重なるようなおもしを提供する。【解決手段】梅干しをつけたりする時に、梅の量が多少変わっても、おもしを薄型の器型にしたことによって、内側のおもしを入れ変えたりすることで、重量を変える事が出きます。【選択図】図２
2008017826.tif 000002
【特許請求の範囲】
【請求項１】
薄い形の内側にぴったりした大きさを中に又中に……入れる事によって重さを調節できるようにしました。
【発明の詳細な説明】
【技術分野】
【０００１】本発明は、おもに梅干しを作る時、おもしの重量を変えたい時に不便な事を解決するために、薄い形の中にぴったりした大きさを中へ、又中へ……と入れたり入れ変えたりすることによって、その時の梅の量等に的した重量のおもしが使用できるようにしたものである。
【背景技術】
【０００２】従来は、梅干し用等の重量を変えられるようにしたタイプのおもしはワンセットとしてはなかった。
【発明の開示】
【発明が解決しようとする課題】
【０００３】梅干し用おもしとして、１ｋｇ・３ｋｇ……等と決まった重量では、その年にとれた梅干しを作る時に、不便という難点があった。本発明は、この課題を解決するためになされたものである。
【課題を解決するための手段】
【０００４】おもしを薄い形の中に、ぴったりとした大きさを中へ又中へ……入れたり、入れ変えたりすることによって、（図１）（図２）梅干しを作る時等に、梅の量が変わったりした時や、びみょうに変えたい時等に最的で、またそのおもしは、たとえば何かの器（食器や花器、置き物）等にも利用出来、誠に便利です。素材は今出まわっているモノ等的していれば良い。
【発明の効果】
【０００５】梅が多かったり少なかったりした年でも、重量を自由に調節出来るので便利。しかも陶器などのような焼き方がいろいろ選べる事は、染め、模様等により、他の器（花器や食器・置き物）等にも出来るので、最に一年中を通して便利です。以下、本発明の実施形態について説明します。
（イ）．おもしの重量が選べるように薄形を内にぴったりとおさめられるように重ねてゆきます。（器にもなります）
（ロ）．中心部分は、いろいろ形を変えてみたりすると個性も出来て、楽しめるでしょう。（おき物用等にもで来ます）
（ハ）．直径による重量や大きさ等により値段を変えると良いでしょう。
【実施例１】
【０００６】（図１）（図２）
【図面の簡単な説明】
【０００７】内側に重ねて入れてゆく事によって（又は入れ変える事も出来るので）重量を変える事が出来るのがおわかりいただけると思います。
【図１】本発明の正面図です。
【図２】本発明の使用状態を示す断面図です。
【符号の説明】
【０００８】１．おもし本体（たとえば３ｋｇの重量なら、直径での大きさから、２と３を引いたもの）
２．内側のそれぞれ（たとえば本体から０．５ｇずつ少量の重さと大きさになるようにする。）
３．中心部（たとえば０．５ｇの、つまんでとれるような好みの形が良いでしょう。）
【図１】
2008017826.tif 000003
【図２】
2008017826.tif 000004
(57)【要約】      （修正有）【課題】しゃがんだり、こごまったりして作業をしていた草刈りを、立ったまま出来、利き手に関係なく左右双方向に使える草刈り器を提供する。【解決手段】長い持ち手の柄２（伸縮式も可）の先に、刃を固定するＶ字型替え刃固定台１を取り付け、刃３は替え刃式として、今のところは、安価で市販されているカッター刃を利用出来る様にした。長い柄を付けたことで、両手で持つ事が出来、しゃがまなくても地面の草に充分届く。この用具を基本的には竹箒で掃くように動かし草を刈る。またＶ字型にしたことにより、利き手に関係なく多方向に動かすことが出来、Ｖ字型の内側に刃を取り付けたので、危険度が減った感じがする。何れにせよ、今までには無い新しいタイプの草刈り器である。あくまでも、手鎌に代わる立ったまま左右に刈れる、カッター刃等の替え刃式がアイデアで、刃の取り付け方や材質、構造、形状、デザイン、ネーミング等はこの限りではない。【選択図】図１
2008017825.tif 000002
【特許請求の範囲】
【請求項１】
立ったままで使うための長い柄（伸縮式も可）の先につけた利き手にこだわらず使用できる、Ｖ字型２枚刃式の草刈り器。
【請求項２】
市販のカッター刃等を利用した、刃を研がずに、新しい刃に取り替えられる草刈り器。
【発明の詳細な説明】
【発明の詳細な説明】
【技術分野】
【０００１】  本発明は従来の手鎌に変わる、しゃがまなくても、立ったまま使用出来る、一般用草刈り器。エンジン刈り払い機、芝刈り機、大鎌等を必要としない小規模な範囲用草刈り用具。
【背景技術】
【０００２】  従来、立ったままでの草刈りや草取り作業には、大鎌や鍬タイプのものしか無く農林業務用が殆どです。また、燃料エンジンや電気動力の刈り払い機は広い場所や固い草木になど最適ですが、作業の準備も大変で、エンジン音が大きく騒音によるトラブルの発生や、動力機械は飛石の危険も有ります。いずれにせよ、特にお年寄りや女性には、手軽に使用できるものではないと思われます。
【発明が解決しようとする課題】
【０００３】  従来の手鎌に変わり、しゃがまなくても草刈りが出来ないものか、また、刃は研がずに交換するという発想のもとに研究した。従来の手鎌は柄が短い物が多く、片手のみで握ってのスナップ運動や腰を曲げての作業は結構重労働である。ましてや膝や腰の悪い高齢者にとって、草刈り作業は容易では無かった。また、刃が欠けたり、切れ味の悪くなった刃を研ぐのは、面倒で難しく簡単では無い。
【課題を解決するための手段】
【０００４】  この発明した草刈り器は適度な長さの柄（伸縮式も有り）で、軽いので扱い易い。使い方も簡単で、両手で竹箒を使うように左右に動かしたり、体側に持ち、前後に振るように動かしたり、またはＶ型の進行方向をずらすように持ち草の種類、状態に合わせながら作業が出来る。又、刃の取り替えも簡単にした。
【発明を実施するための最良の形態】
【０００５】  従来の手鎌は一方向にしか使えず、大きな刃が剥き出しで危険を感じるが、この発明品はＶ字型１の内側に刃が付いているので、取り扱いの危険度が緩和され、立ったままで柄２を持ち、左右どちらにも移動できるので、利き手に関係なく使える。また、今のところはカッター刃３を利用しているが、刃の取り替えが出来るので、刃を研ぐ必要は無くなった。当然、専用刃を作っても良い。
【発明の効果】
【０００６】  立ったまま、両手で使えるので、腰や膝に負担をかけず、楽に草刈り作業が出来、この１本で利き手にこだわらず使用出来る。
【０００７】  現在は市販の安価なカッターナイフの刃に着目し、使用しているので、刃が欠けたり切れ味が悪くなったら、研がずに交換出来る。以上、この発明は従来手鎌の欠点を改善した、新しいタイプの草刈り器である。
【図面の簡単な説明】
【図１】  全体の斜視図である。
【図２】  カッター刃取り付け部の平面図である。
【符号の説明】
１、Ｖ字型替え刃固定金具
２、もち手の柄
３、カッター刃
【図１】
2008017825.tif 000003
【図２】
2008017825.tif 000004
(57)【要約】      （修正有）【課題】鶏卵の殻を粉末状に加工した栄養補給剤を提供すること。【解決手段】鶏卵の殻を、熱湯で茹でることにより脱臭と殺菌処理を行い、さらに殻の薄皮を除去し、粉砕する。これを水洗いして灰汁抜きを施した後、乾燥し、精粉器で粉末化する。【効果】病中、病後のカルシウム不足を補うために、タブレットの素材、飲料、料理などへの栄養補給剤として、並びにペットの飼料用として利用することができる。資源の再利用にも有効である。【選択図】なし【特許請求の範囲】
【発明の詳細な説明】
2008017827.tif 000002
2008017827.tif 000003
【手続補正書】
【提出日】平成18年12月21日(2006.12.21)
【手続補正１】
【補正対象書類名】明細書
【補正対象項目名】全文
【補正方法】変更
【補正の内容】
【発明の詳細な説明】
【技術分野】栄養素【０００１】鶏卵の殻を、熱処理した後、薄皮を取り除き擂り鉢で、粉にして、水洗いをし、灰汁抜きを施した後、乾燥をして、精粉器に投入粉抹状（パウダー状）に為る事と、栄養補給剤等、他方面に用いる事。
【図面の簡単な説明】
【０００２】
【図１】鍋の中に殻を入れ熱処理をして、薄皮を取り除く迄を示す図である。
【図２】擂り鉢で殻を、粉に為る迄を示す図である。
【図３】丼物用の鍋で灰汁を取り除き乍ら、乾燥させる迄を示す図である。
【図４】粉を、精粉器に投入し、精粉為る迄を、示す図である。
【手続補正２】
【補正対象書類名】特許請求の範囲
【補正対象項目名】全文
【補正方法】変更
【補正の内容】
【特許請求の範囲】
【請求項１】
▲イ▼鶏卵の殻を、熱処理して、薄皮を取り除き粉にした後、精粉状（パウダー状）に為る事。
▲ロ▼栄養補給剤等、他の方面に使用為る事。
【手続補正３】
【補正対象書類名】図面
【補正対象項目名】全図
【補正方法】追加
【補正の内容】
【図１】
2008017827.tif 000004
【図２】
2008017827.tif 000005
【図３】
2008017827.tif 000006
【図４】
2008017827.tif 000007
(57)【要約】【課題】  ナスやトマト等は、果実の重みでもって茎がまがりやすい。日光をしっかりあてるために支柱をたてひもで茎を固定することにより、日光を葉にしっかりあて、光合成をより活発におこなわせるようにしていた。  １本あたり２〜３カ所、ひもでしばっていた。  作業の手間がかかり、収穫した後のひもの処理にも困難がともなっていた。【解決手段】  支柱にひもでしばりつける方法だと、上下方向に自由に動かすことができにくい。その点では、本装置をひもの代わりにつかうことにより、上下方向に自由に動かすことができる。また、しばるという作業の労力を、つけるという軽作業で解消することになる。収穫が終わって片づけるときも、はずしてしまっておけば、数年つかえる。【特許請求の範囲】
【請求項１】
従来はナスやトマト等の栽培において、果実の重みで茎が倒れやすいので木や支柱にくくりつけて直立させて、より多くの日光を当て光合成が効率よくおこなわれ果実が大きくなるように努力していた。  木や支柱にひもにより固定していたが、その方法だとひもを支柱にくくりつける作業が面倒だし苗が成長するに従って上の方にひもをしばりなおさなければいけない。  そこで、それらの課題を解決するために本装置を開発した。  支柱にくくりつける部分を円形にして、支柱に入れる部分をはなした。  そして支柱を支える部分と植物の茎をささえる部分をくっつける構造にした。
【請求項２】
材質は塩ビ系でやわらかく、弾力性があるものにする。  塩ビの色を変えることによりカラフルな空間をつくり出すことができる。2008017821.tif 000002
【発明の詳細な説明】
【技術分野】
【０００１】本発明は、栽培方法の１つである植物を支えにとめる方法の改良型装置である。
【背景技術】
【０００２】従来は植物をまっすぐに立たせるために、木や枝等にひもでくくりつけていたものをひもでなく、本装置で支えるようにしたものである。
【発明の開示】
【発明が解決しようとする課題】
【０００３】茎が弱く倒れやすい植物に、いかに多くの日光を当てるために上にはわせるかが以前の課題であり、そのために紐や木の枝を使ってきた。能率が悪く時間と手間がかかる。
【課題を解決するための手段】
【０００４】木の枝や棒に紐でくくりつけるかわりに、本装置で茎をやさしくつつむことにする。
【発明の効果】
【０００５】装置の茎を支える部分を内側に入り込むようにしたため、茎が外れたりはみ出したりしない。植物の直立状態をたもち収穫の増量と収穫しやすくなる。
【発明を実施するための最良の形態】
【０００６】成長にともない装置の個数を増やしたり、上へ少し移動させることにより生育しやすくなる。
【実施例】
【０００７】図１は、本発明装置を上から見た図であり茎を支える部分に利用しやすいように工夫した。
【産業上の利用可能性】
【０００８】本来無味乾燥な畑仕事であったものが、色を加えることによってカラフルな空間をつくり出すことができる。  作業時間の短縮化が図られ、茎の生育に負担が少なくてすむ。野菜づくりの楽しさがまし栽培意欲がます。
【図面の簡単な説明】
【０００９】
【図１】は、本装置を上面から見た図である。
【図２】は、本装置を支柱に装着した図である。
【図１】
2008017821.tif 000003
【図２】
2008017821.tif 000004
(57)【要約】【課題】  木材チップの保水性と軽量さを生かし、しかも接着剤など植物の生育を阻害する恐れのある物質を含まない植生用保水体を提供する。【解決手段】  紡績糸織物で構成された閉じた袋体であって、袋体内に木材チップが充満されている植生用保水体。【選択図】図３
2008017819.tif 000002
【特許請求の範囲】
【請求項１】
紡績糸織物で構成された閉じた袋体であって、該袋体内に、木材チップが充満されていることを特徴とする、植生用保水体。
【請求項２】
紡績糸は、ポリエステル繊維、アクリル繊維、ポリオレフィン繊維、ナイロン繊維など、耐久性を有する合成繊維もしくはこれを主成分とする糸であることを特徴とする、請求項１記載の植生用保水体。
【請求項３】
充満されている木材チップの中に、肥効成分が樹脂で被覆されていることにより緩効性を持つ肥料が分散していることを特徴とする、請求項１記載の植生用保水体。
【請求項４】
充満されている木材チップの中に、粉粒状の木炭が分散していることを特徴とする、請求項１記載の植生用保水体。
【請求項５】
袋体の下部に、余剰水を排水するための通水路を確保する排水材を有することを特徴とする、請求項１記載の植生用保水体。
【請求項６】
保水体の上部に、芝その他の植物が生育し、その根が袋体の内部に伸長し保水体内に含まれる水分を吸収していることを特徴とする、請求項１記載の植生用保水体。
【発明の詳細な説明】
【技術分野】
【０００１】  本発明は、木材細片チップによる植生用保水体に関するものである。
【背景技術】
【０００２】  屋上やベランダ等建造物の上部に植生を行う場合、植物が必要とする水分をいかに確保するかということはきわめて重要なことである。本来植物の多くは土壌の上に生育し、土中に含有されている水分を吸収して生育するものである。然るに土の自重は大きく、建造物の上に設置するには建造物に過度の負担がかかる問題があり、軽量の保水体が必要であった。【０００３】  これに対し植物繊維自体の有する保水能力を利用する方法が考えられた。木材チップを板状に接着成型する方法である。しかしこの方法は有用な面はあるが、生育する植物にとり異物といえる接着剤の存在が妨げになることは否めない。
【発明の開示】
【発明が解決しようとする課題】
【０００４】  本発明は、木材チップの保水性と軽量さを生かし、しかも接着剤など植物の生育を阻害する恐れのある物質を含まない新たな植生用保水体を提供するものである。
【課題を解決するための手段】
【０００５】  本発明は、紡績糸織物で構成された閉じた袋体内に、木材チップが充満されていることを特徴とする。紡績糸織物は、多くの短繊維の集合体であって、短繊維の端末の毛羽とその捲縮による嵩高さは同様の構造のフィラメント糸に比して大きく、織物の表面を覆っている。かかる構造の面に植物の根のごとく強く分け入ってくるものは嵩高の一部が押し広げられ貫入することができるが、中に入っている木材チップは外へもれにくい性質がある。このように紡績糸織物の特異性は、木材チップの収納にはきわめて都合がよい。【０００６】  さらに、木材チップの集合に接着剤を使用しないためには、相互粘着性のないチップを長期にわたって形状保持する必要がある。多くの土の中で用いる資材は、土中分解して自然に帰ることを目指すが、本発明の保水体は、長期にわたって安定した形状保持が必要であり、必然的に袋体の素材は、ポリエステル、アクリル繊維、ポリオレフィン繊維、ナイロン繊維、などの耐久性の高い合成繊維でなければならない。【０００７】  木材チップは当初植物に対する肥効成分を期待できない。そのため施肥する必要がある場合がある。その場合初期に施肥をして、その効果を長期に維持することが必要であり、緩効性肥料を配置しておくと効果的である。緩効性肥料としては、肥効成分を樹脂などで被覆した被服肥料が適材である。【０００８】  本発明による植生用保水体に木炭やセラミックスなど超多孔質の粉粒体を分散させることは、有用バクテリア等の増殖を促進させる。特に木炭は木材チップとともに容易に入手される有用品として適当である。【０００９】  植生用保水体は適度に保水していることが必要であって、余分の水分は排出されることが望ましい。保水体を直接構造物の表面に置かず、その間に排水用の通水余地を設けることが望ましい。
【発明の効果】
【００１０】  本発明による植生用保水体の上に芝生を置くと経時とともに根は袋である紡績糸織物を貫通し保水体に根付く。木材チップは個々の集合に過ぎず、根の生育を阻害するものはない。根の繁茂も早くかつ多い。また、母体の紡績糸織物は縫製することにより、多様な形状にすることができる。
【実施例】
【００１１】  ポリエステル１００％糸綿番手１０番双糸を縦糸よこ糸に使用した織物で、たて５０ｃｍよこ５０ｃｍ暑さ１０ｃｍの箱状袋とし、スギ材約２ｍｍ角のチップを約２５０００立方センチつめ口を閉じたものの上に、高麗芝を置いて適宜散水し、１０日間で芝の根は保水体に根ついた。散水の量にもよるが、多量の降雨時を考慮すると、保水体の下に排水通路は必要だと思われた。
【図面の簡単な説明】
【００１２】
【図１】  本発明の概要を示す斜視図である。
【図２】  本発明のうち、通水路を有するものの側面図である。
【図３】  本発明のうち、植物を一体化させたものの側面図である。
【符号の説明】
【００１３】１  保水体
２  排水材
３  植物
【図１】
2008017819.tif 000003
【図２】
2008017819.tif 000004
【図３】
2008017819.tif 000005
(57)【要約】【課題】  竹の炭そのものに含まれている、カルシウム、マグネシウム、鉄分、ナトリウムなど、天然のミネラル成分を天然の塩と合体させて、健康と美容に関する加工方法を提供する。【解決手段】  竹の炭の効果と天然塩とを合体させることによって、人間のみならず生物の生活空間において安心して用いることができる食品加工方法を提供することを特徴とする。【選択図】なし【特許請求の範囲】
【請求項１】
竹の中に塩を入れて、そのまま炭焼き釜もしくは炭化装置で竹を炭にし、炭化した竹の中に入っていた塩を取り出し食品加工する方法。
【請求項２】
竹を炭焼き釜もしくは炭化装置で炭化させ、その中に塩を入れて、粉砕・過熱して食品加工する方法。
【発明の詳細な説明】
【発明の詳細な説明】
【技術分野】
【０００１】  本発明は、竹の炭そのものに含まれている、カルシウム、マグネシウム、鉄分、ナトリウムなど、天然のミネラル成分を天然の塩と合体させて、健康と美容に関する技術分野である。
【背景技術】
【０００２】  天然塩を煎ったり、にんにく、茶葉、こしょうの入った食塩はあった。【０００３】  また、ミネラルを体内に吸収させるには水とかサプリメントとかいろいろあるが、天然で容易に吸収できるのは炭であることは必須の要件でもある。
【発明が解決しようとする課題】
【０００４】  本発明は、竹の炭の効果と天然塩とを合体させることによって、人間のみならず生物の生活空間において安心して用いることができる食品加工方法を提供する。
【課題を解決するための手段】
【０００５】  かかる目的を達すべく、請求項１の発明は、炭と塩を一体化してつくる加工方法であり、請求項２は、味覚とミネラルとを調整できることを特徴とする。
【発明を実施するための最良の形態】
【０００６】  本発明は炭と塩の効果を付与する方法である。尚、本発明が対象とする炭は、天然の竹であり、塩も天然の塩である。【０００７】  本発明の実施の形態は、炭化させた竹に天然の塩を混合させることからなっている。【０００８】    竹の中に塩を入れる方法は、節と節との間に入れるのだが、竹を炭化させる途中に爆発するので片側の節に孔を開けなくてはならない。
孔の大きさは、直径５ｍｍくらいが良い。【０００９】  竹の中に入れる塩は、塩分濃度６０％から８０％の水溶性でなければならない。
何故なら、竹が炭化する際に塩水が充分な運動が出来る状態でなければならないのである。高濃度の水溶液量は、入れようとする竹の節と節の間の竹の容積の６０％から８０％が良い。【００１０】  天然塩に炭化した竹の炭を混合させるには、天然塩１００重量％に対して竹の炭を２％から０．５％までが良い。
【実施例】  節から節までの長さ２５ｃｍ、竹の直径１２ｃｍ、全長３０ｃｍの孟宗竹を用意し、片方の節に５ｍｍの孔を開け、高濃度の食塩水（濃度８０％）を５００ｃｃを入れ、立てた状態で炭化炉に入れ竹を炭化させた。【００１１】  この炭化炉の条件は、炭化温度は８００℃で、炭化時間は３日間であった。【００１２】    この結果から、本発明の竹の中の塩は竹の内部も炭になっているので、高濃度の食塩水が対流しながら内部の竹の炭を削り、均等に塩の中に炭が混ざったことが認められた。
【発明の効果】
【００１３】  本発明の方法により、竹は灰になることなく、竹の炭になり、竹の内部に入れた高濃度の食塩水はこぼれることなく、食塩水が対流したことによって、竹の内部の炭を削り、塩水の中に均等に炭が混ざり、水分は蒸発して黒色のミネラル分豊富な塩が完成した。
(57)【要約】【課題】鋏及びカッターの使用時において、切断の進行を妨げる摩擦抵抗に対抗する付加的な切断力の向上を図る。【解決手段】下把持柄５は棒状芯を内蔵しており、この棒状芯を軸に下把持柄５は前後自在にスライドが行われる。鋏の把持柄を開閉することにより下把持柄５は前後にスライドし、切断の際には下把持柄５は支軸２から遠ざかる。これによりてこの原理で言うところの支点と力点間の距離が長くなり、結果として作用点である刃部に付加的な切断力が増加しスムーズな切断作業が可能となる。【選択図】図１
2008017818.tif 000002
【特許請求の範囲】
【請求項１】
鋏及びカッターの把持柄部分において、棒状の芯材を軸としてスライドが可能な把持柄を具備することを特徴とする鋏及びカッター。
【発明の詳細な説明】
【技術分野】
【０００１】本発明は、剪定鋏やケーブルカッター及び挟持切断工具の切断能力向上のための機構に関するものである。
【発明が解決しようとする課題】
【０００２】鋏及びカッターは、一対の対向する刃体が支軸で軸着され、この支軸を中心に刃体は開閉自在に回動する。一方、支軸を中心に刃体の反対側に伸びた把持柄が設けられており、この把持柄を開閉させることにより刃体を開閉させ被切断物を切断する。この時の切断能力は把持柄を挟持する作業者の握力と、把持柄のどの位置を挟持するかによって決定される。
【０００３】挟持する位置は作業者の手の大きさにより異なるが、大きな切断力を得るためには支軸よりなるべく遠い位置を持つことが要求される。然しながら、作業者の手の大きさは人それぞれ決まっており限界以上の遠い位置の挟持はできない。又、太い被切断物を切断する場合には刃体が被切断物に漸次喰い込んでいくが、それにつれて刃体と被切断物の間の摩擦抵抗が増加し、切断を完遂するにはより大きな握力が必要となり場合によっては切断を完遂できないことがある。最悪の場合には刃体が被切断物に食い込んだ状態で鋏を被切断物より外すことも出来ない事態に陥る。本発明はこのような課題を解決しようとするものである。
【問題を解決する手段】
【０００４】切断に苦労する、あるいは切断が完遂できない最大の原因は刃体が被切断物に喰い込んでいくにつれ上刃部１と被切断物８の間の摩擦抵抗が漸次増加していくことである。この喰い込んで行くにつれ増加する抵抗に打ち勝つためのより大きな切断力を得るために、把持柄を挟持する作業者の手の位置を切断が進行するにつれ支軸から後退させる機構を具備させることにより切断力の増加を図り上記の問題を解決する。
【０００５】具体的にその機構を図に沿って解説する。下把持柄部の芯材６は棒状の部材である。この把持部の棒状芯材部６を筒状の下把持柄５に挿入して把持する為のハンドルを形成する。この下把持部５は棒状芯材６を軸にスライドが前後自在に行われる。下把持部５には５ａ部分にてリンク杆７が支軸されており、リンク杆７の他の端は上把持部４に支軸連結されている。実際の切断作業に沿って説明すると被切断物８を切るときにはまず刃体部分を開いて被切断物８をくわえこむ、この時に把持柄３はその動きに連動して開く。把持柄３が開いたときに、下把持部５はリンク杆７を介して上把持部４と連結されているので支軸２
【０００６】に近いところまで引き寄せられる。これは下把持柄５が支軸２の近くまで移動している。次に被切断物８を切るために把持柄３を閉じると上把持部４からリンク杆７を介して下把持部５を支軸２より遠ざける動きを発生せしめる。切断作業が進行するに連れ下把持部は支軸２から漸次遠ざけられこれにより刃部にかかる力が漸増することとなる。
【発明の効果】
【０００７】鋏やカッターの刃部は厚みのある金属板材の端部を斜めに研磨加工して鋭利な刃物にしている。被切断物が刃部によって切断されるときには、この鋭利な刃部が被切断物に喰い込んで行くことにより切断作業が行われる。しかし斜めに刃部が形成されている為に切断が進行するにつれて斜めの刃部と被切断物の切断面の間に摩擦抵抗が増加する。
【０００８】特に被切断物が太い場合あるいは硬い場合にはこの摩擦抵抗はかなりの大きさになる。本発明によれば切断が進行するにつれ、下把持部５が支軸２から遠い位置に漸次後退する。
2008017818.tif 000003
支点と力点の距離が遠くなるにつれ作用点である刃部にはより大きな切断力が作用する。これにより摩擦抵抗に打ち勝つ付加的な切断能力が生じスムーズな切断作業が可能となる。
【発明を実施するための最良の形態】
【０００９】図１に実施例の一つを示す。一対の上刃部１と下刃部９は支軸２にて軸着され、この軸を中心に刃部は開閉自在に回動する。支軸を中心に刃部と反対側には上把持柄４と下把持柄５が伸びており把持柄３を形成する。作業者はこの把持柄３を挟持し開閉をさせると刃部の上刃部１と下刃部９は連動して開閉し刃部に挟み込んだ被切断物を切断するものである。【００１１】棒状芯６に筒状の下把持柄５を装着しハンドルを形成する。この把持柄５は棒状芯６を軸に摺動が可能な状態で装着されている。下把持柄５には軸受け台５ａ部にてリンク杆７が軸着され、そのリンク杆７の他端は軸４ａにて上把持部４に軸着されている。上把持部４と下把持部５が開閉されたときに、連結されたリンク杆７により開閉動作が下把持部５の前後方向へのスライドの動作に変換される。
【図面の簡単な説明】
【００１２】
【図１】本発明を実施した鋏の一例を示す正面図である。
【図２】把持部を開いて被切断物を挟み込んだ時の正面図である。
【図３】下把持柄５が支軸２から遠くに移動した時の断面図を含む図である。
【図４】下把持柄５が支軸２に近いところに移動した時の断面図を含む図である。
【符号の説明】
【００１３】１．上刃部
２．支軸
３．把持柄
４．上把持柄
４ａ  軸
５．下把持柄
５ａ  軸受け台
６．把持部の棒状芯
７．リンク杆
８．被切断物の一例
９．下刃部
【図１】
2008017818.tif 000004
【図２】
2008017818.tif 000005
【図３】
2008017818.tif 000006
【図４】
2008017818.tif 000007
(57)【要約】【課題】簡単かつ容易な構造で、猫の足の裏に付いた砂をすっきり落とし、衛生面に優れ、かつ飼い主の負担を軽減できる、猫用トイレ砂落としルームを提供する。【解決手段】猫用トイレを内部に設置し、側壁部で周りを囲み、決められた出入り口のみで出入りし、距離のある傾斜のついた、すのこを置くことで、砂を確実に落とすことが出来る。内部には、猫用トイレを設置することの出来る十分な広さがあり、側壁部、底部、すのこ部のパートに分かれており、取り外しが簡単に出来るようになっている。すのこ部は、傾斜をつけ距離を長くすることにより、砂落としを、確実にすることができる。すのこの長さを、さらにL字に伸ばし、出入り通路に曲がるという変化を加えたことで、直線のみより砂落とし効果を、さらに上げた。【選択図】図１
2008017801.tif 000002
【特許請求の範囲】
【請求項１】
猫の足の裏についた砂を、箱好き猫の習性を利用し、側壁を有し、出入り口を細長く、折れ曲がった通路にし、その通路に傾斜のついた砂落としすのこを設置することで、歩行距離を長くし、市販のトイレを設置出来るサイズで、トイレルーム外を汚さず、組み立て式でパーツが簡単に外せるので、掃除をするのも簡単に出来る事を特徴とした、猫用トイレ砂落としルーム。
【発明の詳細な説明】
【技術分野】
【０００１】
本発明は、猫トイレ用砂を、砂落としルームから持ち出さないことで、トイレ周り掃除など飼い主の負担をなくすことが出来る猫用砂落としルームに関するものである。                  
【背景技術】
【０００２】
猫の足の裏の砂落とし用の商品、たとえば、砂落しマット等ありますが、短い距離の物が多く、跨いでしまったり、片足のみの歩行に留まったり、と、あまり効果が無く、毎日汚れたトイレ周りの掃除に振り回されました。            
【発明の開示】
【発明が解決しようとする課題】
【０００３】
従って、前記の問題点を考慮し、側壁部で囲み、出入り口を作り、長い距離を傾斜のある砂落としすのこ上を歩くことにより、改善された砂落としルームを、提供することを課題とする。
【課題を解決するための手段】
【０００４】
上記の課題を解決するため、猫がトイレに行くための通路を固定するため、トイレの周りを壁で囲み、出入り口を１つにし、通路は、トイレまでの距離をＬ字型に距離をもたせ、その通路部に傾斜のついたすのこを設置する。
【発明の効果】
【０００５】
請求項１の発明に係る猫砂落としルームは、側壁で囲み出入り口を作り、かつ、長い通路
に、傾斜の付いたすのこを配置することにより、同一通路を必ず通らなければならない様
に考慮され、そのことで砂落とし効果を高めている。また、組み立て式で、簡単に取り外
しが出来ることで、手入れが簡単に出来るように配慮されている。
【０００６】
その側壁には十分な高さをもうけ、出入り口からトイレ設置場所までの通路は、直線のみでなく、L字型に曲がっていることで、直線のみで落とせなかった砂を、落とす効果を上げることに成功した。
【発明を実施するための最良の形態】
【０００７】
以下添付の図面に従って、この発明を詳細に説明する。図１は本発明の一実施例を示す
斜視図、図２はその平面図、図３は底部の斜視図、図４はすのこ部の側面図、図５は側壁図である。
【０００８】
図１及び図２に示すように、猫砂落としルームは、側壁部１と底部２と、すのこ部３で
形成されており、図４に示すように傾斜をつけることで、砂落とし効果をあげ、組み立て
が簡単であること、底部２に側壁を付けることで砂を内部にとどめること、及び、側壁部
１を安定させることが出来る。
【０００９】
図３で示すように底部は側壁部を有している事を特徴とする。底部の側壁部があることで
外への砂の飛び出しを防ぎ、かつ砂がたまりやすく掃除が楽である。
【００１０】
図２で示すように壁及び、すのこを入り口の直線部分のみでなくL字型に伸ばすことで砂落とし効果を上げる。すのこ部は、上に滑り止めマットを置き、歩きやすくなっている。すのこに溜まった砂は、すのこを分解することで、すのこ部のみの掃除を楽に出来る。
すのこ部は升目状板と皿部に分かれている。皿部は図４の底部と同じ形状の深さのある物なので、この部分に砂が溜まるようになっている事を特徴とする。
【００１１】
出入り口の高さは、図３で示す底板の側壁部の高さと、図４で示すすのこの傾斜の頂上部とを、同一にしていることで、納まりをよくしている。
【００１２】
図５の側壁部は角の部分が、可動式で固定していないので、取り外し、持ち運び等、たたんでおいて置くことが出来る。
【００１３】
この発明は、猫の精神面も考慮された形態であり、かつ形状もスッキリとモダンに作られており、部屋にも置けることを配慮している。
【実施例】
【００１４】
使用した結果、トイレの周りに砂の飛び散りを、発見しなかった。
【００１５】
砂落としルームの内部の掃除も、図３の底部の形が示すように砂をためやすく、すのこ、側壁を簡単にはずせるため、掃除がとても楽になった。
【００１６】
箱型で、かつ出入り口が側壁部で囲まれた狭い通路であるので、猫の好奇心をそそり出入りを楽しみ、精神的な部分にも効果を感じることが出来た。
【００１７】
小さい粒の猫砂は、掃除が大変だが留守中に猫が排泄した大便も猫がキッチリ隠せるので大変助かるので手間でも使用していた。この発明を使用すると、手間がなくなった。
【００１８】
ゆったりしたサイズに作られているため、市販のトイレを設置しやすく、既存のトイレを使うことが出来た。
【産業上の利用可能性】
【００１９】
猫を飼っていて、トイレ周りに飛び散った砂の掃除は、トイレ掃除より手間がかかっていました。市販の砂落とし商品をためしましたが、効果を得ませんでした。本発明は、箱好き猫の習性を利用して、猫が落ち着ける箱内で排泄でき、すのこの距離、傾斜がある部分と、すのこを必ず通るように、作っていることで、砂を落とす効果は大きく産業上の利用価値は期待できる。
【図面の簡単な説明】
【００２０】
【図１】本考案の一実施例を示す斜視図である。
【図２】その平面図である。
【図３】その底部である。
【図４】そのすのこ部の側面図である
【図５】その側壁部である。
【符号の説明】
【００２１】
１側壁部
２底部
３すのこ平面図
４ａ側から見たすのこ側面図
５猫用トイレ
【図１】
2008017801.tif 000003
【図２】
2008017801.tif 000004
【図３】
2008017801.tif 000005
【図４】
2008017801.tif 000006
【図５】
2008017801.tif 000007
(57)【要約】【課題】車両停車時に車両内の負荷機器に供給する電力を電池に貯蔵させ、車両走行時はトロリー線からパンタグラフを介して電力を供給することなく、車内灯や暖房装置等の補助電源用として、車両内の負荷機器に電力を継続供給することが可能な鋼索線補助電源用電力貯蔵システムの制御装置を提供すること。【解決手段】トロリー線１からパンタグラフ２を介してＡＣ／ＤＣ変換部３に接続され、この直流部に接続した電池４と並列接続したＤＣ／ＡＣ変換部５に、車両内負荷機器６接続されている。よって、電池４が充電された状態でトロリー線１からパンタグラフ２が切り離された状態においても、電池４の充電電力を使用しＤＣ／ＡＣ変換部５より、車両内負荷機器６に電力を継続供給することが可能である。【選択図】    図１
2008017587.tif 000002
【特許請求の範囲】
【請求項１】
トロリー線からパンタグラフを介して供給される交流電力を一旦直流電力に変換し電池に充電させ、充電完了後トロリー線からパンタグラフを切り離し、走行中は蓄電された直流電力を交流電力に変換させ車両内の負荷機器に継続給電することを特徴とする電力貯蔵システム制御装置。
【発明の詳細な説明】
【技術分野】
【０００１】
本発明は、鋼索線用車両内の負荷機器に供給する電源システムの電力貯蔵システムに関するものである。
【背景技術】
【０００２】
鋼製のワイヤーで坂上に設置した電動機の回転力により牽引する鋼索線は、一般に単線で車両がすれ違う区間のみ複線とし、ワイヤーケーブルの両端に結びつけたつるべ式が殆どである。この鋼索線補助電源用き電方式は、坂下から坂上に至り車両が走行する区間にトロリー線をはり、車内灯や暖房装置等の補助電源用として、車両内の負荷機器に供給するため、トロリー線からパンタグラフを介して交流電力を給電しながら走行している。
【０００３】
図２は従来技術を示す図であり、同図において、１はトロリー線、パンタグラフ２を介して、車両内負荷機器６に供給している。
【特許文献１】特開２００１−３２０８３１公報
【発明の開示】
【発明が解決しようとする課題】
【０００４】
従来の鋼索線補助電源は、車両停車時および走行中に車両内の負荷機器に供給している。特に、車両走行中はトロリー線とパンタグラフの離線等によりパンタグラフの集電部品であるすり板やトロリー線が磨耗するため、保守用部品の確保および交換作業が多く発生するのが現状である。特に、トロリー線や鉄柱等は、全て勾配のある場所に設置しているため、安全を確保しながらの点検・交換作業となり莫大な保守費用が必要である。
【課題を解決するための手段】
【０００５】
請求項１に係る発明は、  トロリー線からパンタグラフを介して供給される交流電力を一旦直流電力に変換し電池に充電させ、充電完了後トロリー線からパンタグラフを切り離し、走行中は蓄電された直流電力を交流電力に変換させ車両内の負荷機器に継続給電することを特徴とする。また本発明は、車両停車時に従来から設置しているパンタグラフから給電し、電力を電池に充電させ、走行時は、パンタグラフから給電することなく電池に蓄電した電力により、車内灯および暖房装置等の車両内負荷機器に電力を供給するシステムの制御装置を提供する。
【発明の効果】
【０００６】
停車時のみの給電となるため、パンタグラフの集電部品であるすり板およびトロリー線の磨耗が低減する。更に、鋼索線が走行する区間のトロリー線を全て削除することが可能なため、トロリー線を支える構造物および鉄柱が不要となる。よって、勾配におけるトロリー線に係わる保守作業が削減する。
【発明を実施するための最良の形態】
【０００７】
停車時にトロリー線からパンタグラフを介して供給される交流電力を一旦直流電力に変換し電池に充電させ、充電完了後トロリー線からパンタグラフを切り離し、走行中は蓄電された直流電力を交流電力に変換させ車両内の負荷機器に継続給電する鋼索線補助電源用電力貯蔵システムの制御装置を提供する。
【０００８】
また、車両が停車している限られた時間内に電池に充電する必要があるため、急速充電が可能なリチウムイオン電池を適応することが望ましい。
【実施例１】
【０００９】
鋼索線補助電源用電力貯蔵システムの基本構成を図１に示す。同図において、トロリー線１は、パンタグラフ２を介して、ＡＣ／ＤＣ変換部３に接続され、この直流部に接続した電池４と並列接続したＤＣ／ＡＣ変換部５、車両内負荷機器６に供給している。この電力貯蔵システムの基本的な運用形態については、車両の停車時には電池に蓄電した電力は使用せず、車両内負荷６に直接電力を供給し、車両走行時には停車時に充電した電力をＤＣ／ＡＣ変換部５を通して車両内負荷６に放電させる。
【産業上の利用可能性】
【００１０】
以上詳述したように、本発明の電力貯蔵システムの制御装置を使用することにより、車内灯および暖房装置等の車両内負荷機器にパンタグラフを介することなく電源を供給することが可能となるため、既存の鋼索線において補助電源用電力貯蔵システムとして適応可能のため、車両が走行する区間のトロリー線や鉄柱等を削除することが可能である。
【図面の簡単な説明】
【００１１】
【図１】本発明の一実施例を示す図である。
【図２】従来例を示す図である。
【符号の説明】
【００１２】
１  トロリー線
２  パンタグラフ
３  ＡＣ／ＤＣ変換部
４  電池
５  ＤＣ／ＡＣ変換部
６  車両内負荷機器
【図１】
2008017587.tif 000003
【図２】
2008017587.tif 000004
(57)【要約】      （修正有）【課題】電線のない場所に照明を後付けするのは、見栄えが悪く手間、費用の点で大変である。常時照明は不要の条件で、より手軽な照明を実現する。【解決手段】携帯型の電磁波を発信する電源と併用する誘導電流を電源としたＬＥＤ照明。ＬＥＤは、消費電力が極めて少ないので、電磁波による誘導電流での点灯が可能。従来の照明灯では、電源及びスイッチが、接続されていることが必須だったが、本発明の基本形では、電源とスイッチが存在しないことが、大きな特徴である。電灯の利用者が居ない場合は、照明が不要な場所で使用する装置であるため、電源が必ず在る必要はない。ＬＥＤ照明の制御に使用する近年多く使用され始めたＲＦＩＤ(Radio Frequency Identification)は誘導電磁界あるいは電波によって、非接触で半導体メモリのデータを読出し、書き込むために近距離通信を行う。【選択図】図１
2008017624.tif 000002
【特許請求の範囲】
【請求項１】
電磁波を発信する電源と併用する、誘導電流を電源としたＬＥＤ照明。
【請求項２】
充電式補助電池を内蔵した請求項１の誘導電流を電源のＬＥＤ照明。
【請求項３】
請求項１と２に制御用ＲＦＩＤを内蔵したＬＥＤ照明。
【請求項４】
請求項１のＬＥＤ照明に補助電源として太陽電池と充電バッテリーを繋げた物。
【請求項５】
請求項１のＬＥＤ照明を使用した照明灯の予備灯、特に非常灯の予備灯。
【請求項６】
交流電源より指向性アンテナを使い点灯するＬＥＤ照明。
【発明の詳細な説明】
【技術分野】
【０００１】
ＬＥＤ，ＲＦＩＤ，多機能ＩＣ。
【背景技術】
【０００２】
ＬＥＤ，ＲＦＩＤ，多機能ＩＣ。
【発明の開示】
【発明が解決しようとする課題】
【０００３】
照明を設置する場合、一番の障害となるのが電源である。電池は装置内のスペースを食い、電池切れを起こす。電線は敷設が面倒である。特に元々電線のない場所に照明を後付けするのは、見栄えが悪く手間、費用の点で大変である。常時の照明は不要の条件で、より手軽な照明はないだろうか。
【課題を解決するための手段】
【０００４】
携帯型の電磁波を発信する電源と併用する誘導電流を電源としたＬＥＤ照明。ＬＥＤは、消費電力が極めて少ない（３０ｍＡ位）ので、電磁波による誘導電流での点灯が可能。フイラメント使用の照明は必要な電気量が多く、蛍光管使用の照明は安定電流が必要なため、誘導電流による給電には向かない。従来の照明灯では、電源及びスイッチが、接続されていることが必須だったが、本発明の基本形では、電源とスイッチが存在しないことが、大きな特徴である。電灯の利用者が居ない場合は、照明が不要な場所で使用する装置であるため、電源が必ず在る必要はない。ＬＥＤ照明の制御に使用する請求項３の近年多く使用され始めたＲＦＩＤ(Radio Frequency Identification)は誘導電磁界あるいは電波によって、非接触で半導体メモリのデータを読出し、書き込むために近距離通信を行う。
【発明の効果】
【０００５】
電源に制約を受けないため、極めて小さな照明が可能となる。直径が６ｍｍ長さが２０ｍｍ位でどこにでも設置可能、移動可能。この大きさは一本のタバコのフィルター部分に余裕で入る小ささである。携帯型の電磁波を発信する電源を充電型とすることにより、省資源が図れる。電灯の利用者が居ない場合は、点灯しないので経済的。照明不要時には電磁波も発信しないため安全である。ＬＥＤは長寿命で点灯時間も短時間のため、球交換もほとんど必要ない。
【発明を実施するための最良の形態】
【０００６】
電灯の利用者が携帯型の電磁波を発信する電源を持って誘導電流を電源としたＬＥＤ照明に近づくと点灯する。携帯型の電源より発射される電磁波を、ＬＥＤ照明のアンテナアレイで受信し誘導電流を起こすのが基本原理である。発射する電磁波を強くすると、遠距離でも点灯する。暗い場合は、ＬＥＤ照明に接触する位、電源を近づければ明るくなる。電磁波は電波法に触れない範囲で任意のＬＥＤ点灯に好適なものを使用する。本発明の基本形では、ＬＥＤに誘導電流を起こすアンテナアレイが装着される。現状のＬＥＤは、電圧は高い必要があるのでＬＥＤと誘導電流を起こすアンテナアレイの中間に安定器を兼ねる昇電圧部品を挿入するが、現状ではわざわざ抵抗を挿入し電流を下げるという無駄をしているのが、遠からず低電圧で点灯するＬＥＤも販売される。基本形の部品はＬＥＤ、アンテナアレイ、昇電圧部品のみである。スイッチも構造容積を使うため、装着していなければ小型化出来る。持ち歩き電源にも、電磁波の発信とは別のスイッチのＬＥＤ照明は、内蔵する。アンテナアレイは、給電受信規格に合えば、設置環境に最適な自由設計が出来る。図２の螺旋形状はサンプルデザインである。使い勝手や、要求により、様々な付属部品が接続される。電灯の利用者が居ない場合は照明が必要ない常時照明が不要の場所で使用する装置であるため、電源が必ず必要でなくても構わない。充電式電池を内蔵していれば、携帯型電源より点灯信号として電磁波を受ければ点灯する。請求項４のＬＥＤ照明に補助電源として太陽電池と充電バッテリーを繋げた場合は電磁波がスイッチの役割をする。携帯型の電磁波を発信する電源の電磁波は、指向性を持たせて、利用者に照射しないようにする。ＬＥＤ灯周囲に電気が流れると支障があり、給電効率が下がるので、絶縁は徹底する。
【０００７】
「実施形態の効果」
プラント内の電源来ていないメーターに取り付ければ、メーターの読み取りが極めて容易となる。基本形が単純で小型なため、あらゆる装置に内蔵出来る、例えばガラス棒状温度計のバックライトに使用出来る。警備順路に多数配置すれば、巡回時に、目の届く範囲を一斉点灯させることで、極めて効率的に、警備が行える。警備用には防水型の本体に、アンテナを兼ねた地面に刺せる構造の支柱を装備する形態などが考えられる。
【０００８】
「他の実施形態」
六角ネジの頭部にＬＥＤを取り付けたもの。照明となる光るネジ。
【図面の簡単な説明】
【０００９】
【図１】本発明の基本概念図。
【図２】本発明基本形のサンプル拡大図。
【符号の説明】
【００１０】
「図１」における符号
１  誘導電流で点灯しているＬＥＤ照明      ２  携帯電源からの電磁波
３  電磁波発信部                          ４  携帯電源
５  電灯の利用者の手                      ６  携帯電源のＬＥＤ照明部
７  電力供給電磁波                        ８  受信アンテナアレイ
９  電源より遠距離のため点灯しないＬＥＤ照明
「図２」における符号
１  ＬＥＤ発光素子                        ２  反射板（リフレクター）
３  アンテナアレイの一例                  ４  安定器兼昇圧トランス
５  ケーシング背面の絶縁材                ６  ケーシング（電磁波透過型）
７  分散焦点レンズ（他特許）
【図１】
2008017624.tif 000003
【図２】
2008017624.tif 000004
(57)【要約】課題      まだ研究がいります。解決手段      氏には、研究所がいります。【特許請求の範囲】
【請求項１】
（１）植物からの抽出液からＪＩＳ  Ｋ０１０２  １２．１を使用して、ｐＨ測定するとｐＨ５．０が検出された。が請求項の区分
（２）（１）の検出から生活製品全般になる物が請求項の区分
【発明の詳細な説明】
【技術分野】    植物が軽油以下で、水素イオンから生活に、使用される物質で、水素から液体水素や気体水素になり石油三層になれば、生活製品全般に、使用出来るかもしれないから研究が必要である。０．０１ｍｏｌ／ｌ＝１０マイナス２乗ｍｏｌ／ｌなので、検査から１０マイナス５乗ｍｏｌ／ｌだから０．０２５ｍｏｌ／ｌです。１リットルに０．００００１モルの水素イオン濃度である。ペーハーは、５ですから薄い酸性でして、酸性と混ざる生活製品全般などに、使用可能
【背景技術】    水素イオンから液体水素や気体水素などの研究がなされることが浮かぶ。酸性と混ざる物質の研究がなされることが浮かぶ。
【発明の開示】
酸性の水素イオンｐＨ５．０の検査結果がでました。
【発明が解決しようとする課題】
植物が軽油以下に、なるために、研究。
【課題を解決するための手段】
植物からの抽出液から混ざることや増したりするなどの研究。
【発明の効果】
生活製品全般に、使用できる。
【発明を実施するための最良の形態】    研究や製造の環境を創る。
【実施例】    ペーハー実験結果
【産業上の利用可能性】    生活製品全般や森林伐採時の製造など。